(57)【要約】【課題】複数の静止画撮影機器を対象とし、検出された各ハイライトシーンの重要度に各ハイライトシーン内に存在するハイライトシーン検出希望箇所の撮影機器の識別情報の種類の異なる数を加算することにより、各ハイライトシーンの重要度を制御する。その結果、複数のユーザーにとって視聴する期待度が高いシーンを再生することを可能にする情報処理装置、及び情報処理方法を提供することを目的とする。【解決手段】静止画コンテンツから撮影機器の識別情報を取得する識別情報処理部１０３と、ハイライトシーン重要度に各ハイライトシーン内に存在するハイライトシーン検出希望箇所の撮影機器の識別情報の種類の異なる数を加算したハイライトシーン重要度を生成する重要度加算部１０９を設けた。【選択図】図１
2010093405.tif 000002
【特許請求の範囲】
【請求項１】
静止画コンテンツを入力する静止画コンテンツ入力手段と、
動画コンテンツを入力する動画コンテンツ入力手段と、
前記静止画コンテンツ入力手段で入力される静止画コンテンツから撮影機器の識別情報を取得する識別情報処理手段と、
前記静止画コンテンツ入力手段で入力される静止画コンテンツから撮影時の時間情報を取得する静止画時間情報処理手段と、
前記動画コンテンツ入力手段で入力される動画コンテンツから撮影時の時間情報を取得する動画時間情報処理手段と、
前記静止画時間情報処理手段で取得される静止画時間情報と前記動画情報処理手段で取得される動画時間情報とを比較して時間情報と前記識別情報処理手段で取得される撮影機器の識別情報からなるハイライトシーン検出希望箇所を生成する検出希望箇所生成手段と、
前記検出希望個所生成手段で生成されるハイライトシーン検出希望箇所の近傍をハイライトシーン検出して時間情報からなる各ハイライトシーンを表すハイライトシーン情報を生成する情報生成手段と、
前記情報生成手段で生成されるハイライトシーン情報と前記検出希望箇所生成手段で生成されるハイライトシーン検出希望箇所から、各ハイライトシーン内に存在するハイライトシーン検出希望箇所の個数をハイライトシーン重要度として、各ハイライトシーンの重要度を生成する重要度生成手段と、
前記重要度生成手段で生成されるハイライトシーン重要度に各ハイライトシーン内に存在する前記検出希望箇所生成手段で生成されるハイライトシーン検出希望箇所の撮影機器の識別情報の種類の異なる数を加算したハイライトシーン重要度を生成する重要度加算手段と
を備えることを特徴とする情報処理装置。
【請求項２】
ユーザーが再生を希望するハイライトシーン重要度を入力する再生希望重要度入力手段と、
前記情報生成手段で生成されるハイライトシーン情報と前記重要度加算手段で生成されるハイライトシーン重要度と前記再生希望重要度入力手段で入力されるハイライトシーン重要度から、時間情報からなる動画コンテンツの再生箇所を生成する再生箇所生成手段と、
前記再生箇所生成手段から得られる動画コンテンツの再生箇所に従って動画コンテンツを再生し映像を出力する再生手段をさらに備えることを特徴とする、請求項１に記載の情報処理装置。
【請求項３】
前記再生手段から出力される映像を表示する表示手段をさらに備えることを特徴とする、請求項２に記載の情報処理装置。
【請求項４】
静止画コンテンツを入力する静止画コンテンツ入力ステップと、
動画コンテンツを入力する動画コンテンツ入力ステップと、
前記静止画コンテンツ入力ステップで入力される静止画コンテンツから撮影機器の識別情報を取得する識別情報処理ステップと、
前記静止画コンテンツ入力ステップで入力される静止画コンテンツから撮影時の時間情報を取得する静止画時間情報処理ステップと、
前記動画コンテンツ入力ステップで入力される動画コンテンツから撮影時の時間情報を取得する動画時間情報処理ステップと、
前記静止画時間情報処理ステップで取得される静止画時間情報と前記動画情報処理ステップで取得される動画時間情報とを比較して時間情報と前記識別情報処理ステップで取得される撮影機器の識別情報からなるハイライトシーン検出希望箇所を生成する検出希望箇所生成ステップと、
前記検出希望個所生成ステップで生成されるハイライトシーン検出希望箇所の近傍をハイライトシーン検出して時間情報からなる各ハイライトシーンを表すハイライトシーン情報を生成する情報生成ステップと、
前記情報生成ステップで生成されるハイライトシーン情報と前記検出希望箇所生成ステップで生成されるハイライトシーン検出希望箇所から、各ハイライトシーン内に存在するハイライトシーン検出希望箇所の個数をハイライトシーン重要度として、各ハイライトシーンの重要度を生成する重要度生成ステップと、
前記重要度生成ステップで生成されるハイライトシーン重要度に各ハイライトシーン内に存在する前記検出希望箇所生成ステップで生成されるハイライトシーン検出希望箇所の撮影機器の識別情報の種類の異なる数を加算したハイライトシーン重要度を生成する重要度加算ステップと
を有することを特徴とする情報処理方法。
【発明の詳細な説明】
【技術分野】
【０００１】
本発明は、動画コンテンツのハイライトシーンを再生する情報処理装置、及び情報処理方法に関するものである。
【背景技術】
【０００２】
従来の情報処理装置、及び情報処理方法は、動画コンテンツ撮影と同時に行われる静止画コンテンツ撮影時の時間情報をハイライトシーン検出希望箇所として利用し、その近傍をハイライトシーン検出することにより、動画コンテンツ全体をハイライトシーン検出するのに比べて、ハイライトシーン検出にかかる時間を短縮している（例えば、特願２００７−１３５１４０号参照。）。また、検出されたハイライトシーン内にハイライトシーン検出希望箇所がどのくらい存在するかをそのハイライトシーンの重要度として利用することにより、ユーザーにとって視聴する期待度が高いシーンのみを再生している（例えば、特願２００８−０６７５１３号参照）。また、例えば、入力情報として静止画撮影情報を入力し、静止画撮影処理が実行された撮影部分を重要シーン撮影部分として識別可能とした情報をハイライトポイント情報として利用するものがある（例えば、特許文献１参照。）。
【特許文献１】特開２００７−１３４７７０号公報
【発明の開示】
【発明が解決しようとする課題】
【０００３】
しかしながら、前記従来の構成では、必ずしも複数の静止画撮影機器が対象とされているわけではなく、また、複数ユーザーにとってのハイライトシーンの重要度が判断できないため、複数ユーザーにとって視聴する期待度が高いシーンを再生できるとは限らないという課題を有していた。
【０００４】
本発明は、前記従来の課題を解決するもので、複数の静止画撮影機器を対象とし、検出された各ハイライトシーンの重要度に各ハイライトシーン内に存在するハイライトシーン検出希望箇所の撮影機器の識別情報の種類の異なる数を加算することにより、各ハイライトシーンの重要度を制御する。その結果、複数のユーザーにとって視聴する期待度が高いシーンを再生することを可能にする情報処理装置、及び情報処理方法を提供することを目的とする。
【０００５】
なお、前記従来の構成では、入力情報として静止画撮影情報を入力し、静止画撮影処理が実行された撮影部分を重要シーン撮影部分として識別可能とした情報をハイライトポイント情報として利用するものがあるが、必ずしも複数の静止画撮影機器が対象とされているわけではなく、検出された各ハイライトシーンの重要度に各ハイライトシーン内に存在するハイライトシーン検出希望箇所の撮影機器の識別情報の種類の異なる数を加算して、各ハイライトシーンの重要度を制御することにより、その結果、複数のユーザーにとって視聴する期待度が高いシーンを再生するという本発明の目的を実現するものではない。
【課題を解決するための手段】
【０００６】
前記従来の課題を解決するために、本発明の情報処理装置、及び情報処理方法は、静止画コンテンツから撮影機器の識別情報を取得する識別情報処理手段と、ハイライトシーン重要度に各ハイライトシーン内に存在するハイライトシーン検出希望箇所の撮影機器の識別情報の種類の異なる数を加算したハイライトシーン重要度を生成する重要度加算手段を設けることにより、各ハイライトシーンの重要度を制御する。
【発明の効果】
【０００７】
以上のように、本発明の情報処理装置、及び情報処理方法によれば、各ハイライトシーンの重要度を制御することができ、複数のユーザーにとって視聴する期待度が高いハイライトシーンを再生することができる。
【発明を実施するための最良の形態】
【０００８】
以下、本発明を実施するための最良の形態について、図面を参照しながら説明する。
【０００９】
（実施の形態）
図１は、本発明の実施の形態における情報処理装置の構成図である。図１において、１０１は静止画コンテンツ入力部であり、静止画コンテンツを入力する。１０２は動画コンテンツ入力部であり、動画コンテンツを入力する。１０３は識別情報処理部であり、静止画コンテンツ入力部１０１から得られる静止画コンテンツから撮影機器の識別情報を取得する。１０４は静止画時間情報処理部であり、静止画コンテンツ入力部１０１から得られる静止画コンテンツから撮影時の時間情報を取得する。１０５は動画時間情報処理部であり、動画コンテンツ入力部１０２から得られる動画コンテンツから撮影時の時間情報を取得する。１０６は検出希望箇所生成部であり、静止画時間情報処理部１０４から得られる静止画時間情報と動画時間情報処理部１０５から得られる動画時間情報とを比較して時間情報と識別情報処理部１０３から得られる撮影機器の識別情報からなるハイライトシーン検出希望箇所を生成する。１０７は情報生成部であり、動画コンテンツ入力部１０２から動画コンテンツを読みだし、検出希望個所生成部１０６から得られるハイライトシーン検出希望箇所の近傍をハイライトシーン検出して時間情報からなる各ハイライトシーンを表すハイライトシーン情報を生成する。１０８は重要度生成部であり、情報生成部１０７から得られるハイライトシーン情報と検出希望箇所生成部１０６から得られるハイライトシーン検出希望箇所から、各ハイライトシーン内に存在するハイライトシーン検出希望箇所の個数をハイライトシーン重要度として、各ハイライトシーンの重要度を生成する。１０９は重要度加算部であり、重要度生成部１０８から得られるハイライトシーン重要度に各ハイライトシーン内に存在する検出希望箇所生成部１０６から得られるハイライトシーン検出希望箇所の撮影機器の識別情報の種類の異なる数を加算したハイライトシーン重要度を生成する。１１０は再生希望重要度入力部であり、ユーザーが再生を希望するハイライトシーン重要度を入力する。１１１は再生箇所生成部であり、情報生成部１０７から得られるハイライトシーン情報と重要度生成部１０８から得られるハイライトシーン重要度と再生希望重要度入力部１１０から得られるユーザーが再生を希望するハイライトシーン重要度から時間情報からなる動画コンテンツの再生箇所を生成する。１１２は再生部であり、動画コンテンツ入力部１０２から動画コンテンツを読みだし、再生箇所生成部１１１から得られる動画コンテンツの再生箇所に従って動画コンテンツを再生し映像を出力する。１１３は表示部であり、再生部１１２から出力される映像を表示する。
【００１０】
図２は、本発明の実施の形態におけるハイライトシーン情報およびハイライトシーン重要度を生成する情報処理方法のフローチャートである。図２において、Ｓ１０１は静止画コンテンツ入力ステップであり、静止画コンテンツが入力される。Ｓ１０２は動画コンテンツ入力ステップであり、動画コンテンツが入力される。Ｓ１０３は識別情報処理ステップであり、静止画コンテンツ入力ステップＳ１０１で入力された静止画コンテンツから撮影機器の識別情報を取得する。Ｓ１０４は静止画時間情報処理ステップであり、静止画コンテンツ入力ステップＳ１０１で入力された静止画コンテンツから撮影時の時間情報を取得する。Ｓ１０５は動画時間情報処理ステップであり、動画コンテンツ入力ステップＳ１０２で入力された動画コンテンツから撮影時の時間情報を取得する。Ｓ１０６は検出希望箇所生成ステップであり、静止画時間情報処理ステップＳ１０４で取得された静止画時間情報と動画時間情報処理ステップＳ１０５で取得された動画時間情報とを比較して時間情報と識別情報処理ステップＳ１０３で取得された撮影機器の識別情報からなるハイライトシーン検出希望箇所を生成する。Ｓ１０７は情報生成ステップであり、動画コンテンツ入力ステップＳ１０２で入力された動画コンテンツにおいて、検出希望個所生成ステップＳ１０６で生成されたハイライトシーン検出希望箇所の近傍をハイライトシーン検出して時間情報からなる各ハイライトシーンを表すハイライトシーン情報を生成する。Ｓ１０８は重要度生成ステップであり、情報生成ステップＳ１０７で生成されたハイライトシーン情報と検出希望箇所生成ステップＳ１０６で生成されたハイライトシーン検出希望箇所から、各ハイライトシーン内に存在するハイライトシーン検出希望箇所の個数をハイライトシーン重要度として、各ハイライトシーンの重要度を生成する。Ｓ１０９は重要度加算ステップであり、重要度生成ステップＳ１０８で生成されたハイライトシーン重要度に各ハイライトシーン内に存在する検出希望箇所生成ステップＳ１０６で生成されたハイライトシーン検出希望箇所の撮影機器の識別情報の種類の異なる数を加算したハイライトシーン重要度を生成する。
【００１１】
次に、本発明の実施の形態による情報処理装置の動作について図１および図２を用いて説明する。まず、静止画コンテンツ入力部１０１に撮影時の時間情報がｔｓ１、撮影機器の識別情報がＩＤａである静止画コンテンツＳ１ａ、撮影時の時間情報がｔｓ２、撮影機器の識別情報がＩＤａである静止画コンテンツＳ２ａ、撮影時の時間情報がｔｓ３、撮影機器の識別情報がＩＤａである静止画コンテンツＳ３ａ、撮影時の時間情報がｔｓ４、撮影機器の識別情報がＩＤａである静止画コンテンツＳ４ａ、撮影時の時間情報がｔｓ５、撮影機器の識別情報がＩＤｂである静止画コンテンツＳ５ｂ、撮影時の時間情報がｔｓ６、撮影機器の識別情報がＩＤｂである静止画コンテンツＳ６ｂ、が入力されているとする。（静止画コンテンツ入力ステップＳ１０１）また、動画コンテンツ入力部１０２に撮影時の時間情報が［ｔｍｓ−ｔｍｅ］である動画コンテンツＭが入力されているとする。（動画コンテンツ入力ステップＳ１０２）ただし、ｔｍｓ  ＜  ｔｓ１  ＜  ｔｓ２  ＜  ｔｓ３  ＜  ｔｓ５  ＜  ｔｓ４  ＜  ｔｓ６  ＜  ｔｍｅであるとする。
【００１２】
次いで、識別情報処理部１０３では、静止画コンテンツ入力部１０１から得られる静止画コンテンツＳ１ａから撮影機器の識別情報ＩＤａを、静止画コンテンツＳ２ａから撮影機器の識別情報ＩＤａを、静止画コンテンツＳ３ａから撮影機器の識別情報ＩＤａを、静止画コンテンツＳ４ａから撮影機器の識別情報ＩＤａを、静止画コンテンツＳ５ｂから撮影機器の識別情報ＩＤｂを、静止画コンテンツＳ６ｂから撮影機器の識別情報ＩＤｂを取得する。（識別情報処理ステップＳ１０３）
次いで、静止画時間情報処理部１０４では、静止画コンテンツ入力部１０１から得られる静止画コンテンツＳ１ａから撮影時の時間情報ｔｓ１を、静止画コンテンツＳ２ａから撮影時の時間情報ｔｓ２を、静止画コンテンツＳ３ａから撮影時の時間情報ｔｓ３を、静止画コンテンツＳ４ａから撮影時の時間情報ｔｓ４を、静止画コンテンツＳ５ｂから撮影時の時間情報ｔｓ５を、静止画コンテンツＳ６ｂから撮影時の時間情報ｔｓ６を取得する。（静止画時間情報処理ステップＳ１０４）
次いで、動画時間情報処理部１０５では、動画コンテンツ入力部１０２から得られる動画コンテンツＭから撮影時の時間情報［ｔｍｓ−ｔｍｅ］を取得する。（動画時間情報処理ステップＳ１０５）
次いで、検出希望箇所生成部１０６では、静止画時間情報処理部１０３から得られる静止画時間情報ｔｓ１，  ｔｓ２，  ｔｓ３，  ｔｓ４，  ｔｓ５，  ｔｓ６と動画時間情報処理部１０５から得られる動画時間情報［ｔｍｓ−ｔｍｅ］とを比較して時間情報と識別情報処理部１０３から得られる撮影機器の識別情報ＩＤａ，  ＩＤａ，  ＩＤａ，  ＩＤａ，  ＩＤｂ，  ＩＤｂからなるハイライトシーン検出希望箇所（ｔｓ１，  ｔｓ２，  ｔｓ３，  ｔｓ４，  ｔｓ５，  ｔｓ６）：（ＩＤａ，  ＩＤａ，  ＩＤａ，  ＩＤａ，  ＩＤｂ，  ＩＤｂ）を生成する。（検出希望箇所生成ステップＳ１０６）
次いで、情報生成部１０７では、動画コンテンツ入力部１０２から動画コンテンツＭを読みだし、検出希望個所生成部１０６から得られるハイライトシーン検出希望箇所（ｔｓ１，  ｔｓ２，  ｔｓ３，  ｔｓ４，  ｔｓ５，  ｔｓ６）：（ＩＤａ，  ＩＤａ，  ＩＤａ，  ＩＤａ，  ＩＤｂ，  ＩＤｂ）の近傍をハイライトシーン検出して時間情報からなる各ハイライトシーンを表すハイライトシーン情報［ｔｈ１ｓ−ｔｈ１ｅ］  ，  ［ｔｈ２ｓ−ｔｈ２ｅ］  ，  ［ｔｈ３ｓ−ｔｈ３ｅ］を生成する。（情報生成ステップＳ１０７）ただし、ｔｍｓ  ＜  ｔｈ１ｓ  ＜  ｔｓ１  ＜  ｔｓ２  ＜  ｔｓ３  ＜  ｔｈ１ｅ  ＜  ｔｈ２ｓ  ＜  ｔｓ５  ＜  ｔｓ４  ＜  ｔｈ２ｅ  ＜  ｔｈ３ｓ  ＜  ｔｓ６  ＜  ｔｈ３ｅ  ＜  ｔｍｅであるとする。
【００１３】
次いで、重要度生成部１０８では、情報生成部１０７から得られるハイライトシーン情報［ｔｈ１ｓ−ｔｈ１ｅ］  ，  ［ｔｈ２ｓ−ｔｈ２ｅ］  ，  ［ｔｈ３ｓ−ｔｈ３ｅ］と検出希望箇所生成部１０６から得られるハイライトシーン検出希望箇所（ｔｓ１，  ｔｓ２，  ｔｓ３，  ｔｓ４，  ｔｓ５，  ｔｓ６）：（ＩＤａ，  ＩＤａ，  ＩＤａ，  ＩＤａ，  ＩＤｂ，  ＩＤｂ）から、各ハイライトシーン内に存在するハイライトシーン検出希望箇所の個数からハイライトシーン重要度３、２、１を生成する。（重要度生成ステップＳ１０８）
次いで、重要度加算部１０９では、重要度生成部１０８から得られるハイライトシーン重要度３、２、１に各ハイライトシーン内に存在する検出希望箇所生成部１０６から得られるハイライトシーン検出希望箇所の撮影機器の識別情報の種類の異なる数０、１、０を加算したハイライトシーン重要度３、３、１を生成する。（重要度加算ステップＳ１０９）
次いで、再生希望重要度入力部１１０では、ユーザーが再生を希望するハイライトシーン重要度３が入力されているとする。
【００１４】
次いで、再生箇所生成部１１１では、情報生成部１０７から得られるハイライトシーン情報［ｔｈ１ｓ−ｔｈ１ｅ］  ，  ［ｔｈ２ｓ−ｔｈ２ｅ］  ，  ［ｔｈ３ｓ−ｔｈ３ｅ］と重要度加算部１０９から得られるハイライトシーン重要度３、３、１と再生希望重要度入力部１０８から得られるユーザーが再生を希望するハイライトシーン重要度３から、ハイライトシーン重要度が３と等しいハイライトシーン情報［ｔｈ１ｓ−ｔｈ１ｅ］  ，  ［ｔｈ２ｓ−ｔｈ２ｅ］から動画コンテンツＭの再生箇所［ｔｈ１ｓ−ｔｈ１ｅ］  ，  ［ｔｈ２ｓ−ｔｈ２ｅ］を生成する。
【００１５】
次いで、再生部１１２では、動画コンテンツ入力部１０２から動画コンテンツＭを読みだし、再生箇所生成部１１１から得られる動画コンテンツＭの再生箇所［ｔｈ１ｓ−ｔｈ１ｅ］  ，  ［ｔｈ２ｓ−ｔｈ２ｅ］に従って動画コンテンツＭを再生し映像を出力する。
【００１６】
次いで、表示部１１３では、再生部１１２から出力される映像を表示する。
【００１７】
なお、ここでは、静止画コンテンツ入力部１０１に入力する静止画コンテンツを６つとして説明したが、１つもしくは２つ以上を入力することも可能である。
【００１８】
また、ここでは、ユーザーが再生を希望するハイライトシーン重要度に等しいハイライトシーン重要度のハイライトシーン情報を動画コンテンツＭの再生箇所とするものとして説明したが、ユーザーが再生を希望するハイライトシーン重要度以上またはより大きいハイライトシーン情報を動画コンテンツＭの再生箇所とすることも可能である。
【産業上の利用可能性】
【００１９】
本発明にかかる情報処理装置、及び情報処理方法は、各ハイライトシーンの重要度を制御することができ、複数のユーザーにとって視聴する期待度が高いハイライトシーンを再生することができるので、動画コンテンツのハイライトシーンを再生する情報処理装置、及び情報処理方法等の用途に有用である。
【図面の簡単な説明】
【００２０】
【図１】本発明の実施の形態における情報処理装置の構成図
【図２】本発明の実施の形態におけるハイライトシーン情報およびハイライトシーン重要度を生成する情報処理方法のフローチャート
【符号の説明】
【００２１】
１０１    静止画コンテンツ入力部
１０２    動画コンテンツ入力部
１０３    識別情報処理部
１０４    静止画時間情報処理部
１０５    動画時間情報処理部
１０６    検出希望箇所生成部
１０７    情報生成部
１０８    重要度生成部
１０９    重要度加算部
１１０    再生希望重要度入力部
１１１    再生箇所生成部
１１２    再生部
１１３    表示部
【図１】
2010093405.tif 000003
【図２】
2010093405.tif 000004